(57)【特許請求の範囲】
【請求項１】
携帯端末装置と画像形成装置とを備えた画像形成システムにおいて、
前記携帯端末装置は、
画像を示すデータを記憶する第１の記憶部と、
前記第１の記憶部に記憶されている前記データを、無線通信によって送信する送信部と、
表示部と、
前記画像を選択する第１の操作、及び、印刷を選択する第２の操作がされる第１の操作部と、
前記携帯端末装置の電源となる電池の残量が所定のしきい値より小さい場合、前記第１の操作及び前記第２の操作がされたとき、印刷設定画面が前記表示部に表示される前に、前記送信部に前記データを送信させる第１の送信制御をする送信制御部と、を備えており、
前記画像形成装置は、
前記第１の送信制御によって送信されてきた前記データを記憶する第２の記憶部と、
前記第２の記憶部に記憶されている前記データで示す前記画像を印刷する印刷ジョブを実行する印刷部と、を備える画像形成システム。
【請求項２】
前記画像形成装置は、前記第２の記憶部に記憶されている前記データで示す前記画像の印刷設定の操作、及び、前記印刷ジョブを命令する操作をする第２の操作部をさらに備えており、
前記印刷部は、前記第２の操作部において、前記印刷設定の操作がされ、かつ、前記印刷ジョブを命令する操作がされることにより、前記印刷設定に基づいて前記印刷ジョブを実行する請求項１に記載の画像形成システム。
【請求項３】
前記送信制御部が、前記第１の送信制御後、前記印刷設定画面に入力された印刷設定を示す設定データ、及び、印刷開始のコマンドを、前記送信部に送信させた場合、前記印刷部は、前記設定データで示す印刷設定に基づいて前記印刷ジョブを実行する請求項１又は２に記載の画像形成システム。
【請求項４】
前記携帯端末装置は、前記第１の送信制御後、前記印刷設定画面を前記表示部に表示させる制御部をさらに備える請求項１〜３のいずれか一項に記載の画像形成システム。
【請求項５】
前記画像形成装置は、前記第１の送信制御後、予め定められた条件下、前記第２の記憶部に記憶されている前記データを削除する削除部をさらに備える請求項１〜４のいずれか一項に記載の画像形成システム。
【請求項６】
前記削除部は、前記印刷ジョブが実行された場合を前記予め定められた条件として、前記第２の記憶部に記憶されている前記データを削除する請求項５に記載の画像形成システム。
【請求項７】
前記削除部は、前記送信制御部が、前記送信部に印刷のキャンセルコマンドを送信させた場合を前記予め定められた条件として、前記第２の記憶部に記憶されている前記データを削除する請求項５又は６に記載の画像形成システム。
【請求項８】
前記削除部は、前記データが前記第２の記憶部に記憶されてから、予め定められた時間が経過した場合を前記予め定められた条件として、前記第２の記憶部に記憶されている前記データを削除する請求項５〜７のいずれか一項に記載の画像形成システム。
【請求項９】
前記削除部は、前記画像形成装置の電源が切れた後、再度、前記画像形成装置の電源が入った場合を前記予め定められた条件として、前記第２の記憶部に記憶されている前記データを削除する請求項５〜８のいずれか一項に記載の画像形成システム。
【請求項１０】
前記送信制御部は、前記第１の送信制御後であり、かつ、前記電池の残量が前記所定のしきい値以上の場合、前記第１の操作、前記第２の操作、及び、前記画像の印刷を命令する第３の操作がされたときに、前記送信部に前記データを送信させる第２の送信制御をし、
前記第２の記憶部は、前記第１の送信制御によって送信されてきた前記データである第１のデータ、及び、前記第２の送信制御によって送信されてきた前記データである第２のデータを記憶し、
前記印刷部は、前記第２の記憶部に記憶されている前記第２のデータについて、前記印刷ジョブを実行し、
前記削除部は、前記第２のデータについて前記印刷ジョブが実行された場合を前記予め定められた条件として、前記第２の記憶部に記憶されている前記第１のデータ及び前記第２のデータを削除する請求項５〜９のいずれか一項に記載の画像形成システム。
【請求項１１】
前記画像形成装置は、前記第２の操作部において、前記第２の記憶部に記憶されている前記データについて、前記印刷ジョブをキャンセルする操作がされた場合、前記第２の記憶部に記憶されている前記データを削除する削除部をさらに備える請求項２に記載の画像形成システム。
【請求項１２】
前記画像形成システムは、複数の前記画像形成装置を備えており、
前記送信制御部は、複数の前記画像形成装置のうち、予め定められた画像形成装置に、前記送信部が前記データを送信する前記第１の送信制御をし、
前記予め定められた画像形成装置は、前記送信制御部が、前記第１の送信制御後、前記印刷設定画面に入力された印刷設定を示す設定データ、及び、印刷開始のコマンドを、前記送信部に送信させた場合、前記予め定められた画像形成装置と別の画像形成装置に前記画像を印刷させる前記印刷設定か否かを判断する判断部と、前記判断部が、前記別の画像形成装置に前記画像を印刷させる前記印刷設定と判断した場合、前記別の画像形成装置に、前記データ、前記設定データ及び前記印刷開始のコマンドを転送する転送部と、をさらに備えており、
前記別の画像形成装置の前記印刷部は、前記転送部によって転送されてきた前記データ、前記設定データ及び前記印刷開始のコマンドを基にして、前記印刷ジョブを実行する請求項１に記載の画像形成システム。
【請求項１３】
携帯端末装置のコンピュータを、
画像を示すデータを第１の記憶手段に記憶させる第１の記憶処理手段、
前記第１の記憶手段に記憶されている前記データを、無線通信によって送信する送信手段、
前記画像を選択する第１の操作、及び、印刷を選択する第２の操作がされる操作手段、
前記携帯端末装置の電源となる電池の残量が所定のしきい値より小さい場合、前記第１の操作及び前記第２の操作がされたとき、印刷設定画面が前記携帯端末装置の表示部に表示される前に、前記送信手段に前記データを送信させる第１の送信制御をする送信制御手段として機能させるためのプログラム。
【発明の詳細な説明】
【技術分野】
【０００１】
本発明は、携帯端末装置から無線通信によって送信されてきたデータで示される画像を印刷する画像形成システム、及び、このシステムで実行されるプログラムに関する。
【背景技術】
【０００２】
無線を利用して、携帯機によって本体機を操作するシステムとして、例えば、自動車のキーレスエントリーが知られている。携帯機の電池の残量が少なくても、本体機の操作に支障が生じないように、携帯機の電池の残量が少ない場合に、対処する技術が提案されている（例えば、特許文献１参照）。
【先行技術文献】
【特許文献】
【０００３】
【特許文献１】特開２００２−４７８３９号公報
【発明の概要】
【発明が解決しようとする課題】
【０００４】
スマートフォンのような携帯端末装置に記憶されている画像を示すデータを、無線通信によって送信し、画像形成装置が、送信されてきたデータで示される画像を印刷する技術がある。携帯端末装置の電池の残量が少なくても、画像の印刷に支障が生じないようにすることが望ましい。
【０００５】
本発明は、携帯端末装置の電池の残量が少なくても、携帯端末装置が、画像を示すデータを無線通信によって画像形成装置に送信し、画像形成装置が、そのデータで示される画像を印刷できる画像形成システム及びプログラムを提供することを目的とする。
【課題を解決するための手段】
【０００６】
上記目的を達成する本発明の第１の局面に係る画像形成システムは、携帯端末装置と画像形成装置とを備えた画像形成システムにおいて、前記携帯端末装置は、画像を示すデータを記憶する第１の記憶部と、前記第１の記憶部に記憶されている前記データを、無線通信によって送信する送信部と、表示部と、前記画像を選択する第１の操作、及び、印刷を選択する第２の操作がされる第１の操作部と、前記携帯端末装置の電源となる電池の残量が所定のしきい値より小さい場合、前記第１の操作及び前記第２の操作がされたとき、印刷設定画面が前記表示部に表示される前に、前記送信部に前記データを送信させる第１の送信制御をする送信制御部と、を備えており、前記画像形成装置は、前記第１の送信制御によって送信されてきた前記データを記憶する第２の記憶部と、前記第２の記憶部に記憶されている前記データで示す前記画像を印刷する印刷ジョブを実行する印刷部と、を備える。
【０００７】
本発明の第１の局面に係る画像形成システムでは、携帯端末装置の電池の残量が少ない場合、携帯端末装置の表示部に印刷設定画面が表示される前に、携帯端末装置が、画像を示すデータを画像形成装置に送信し、そのデータが、画像形成装置に備えられる第２の記憶部に記憶される。
【０００８】
従って、携帯端末装置の印刷設定画面で印刷設定が完了する前に、携帯端末装置の電池が切れても、ユーザーが画像形成装置を操作することにより、画像を印刷することができる。一方、携帯端末装置の電池が切れることなく、携帯端末装置の印刷設定画面で印刷設定を完了すれば、携帯端末装置が、その印刷設定を示す設定データを画像形成装置に送信することにより、画像形成装置に画像を印刷させることができる。
【０００９】
以上のように、本発明に係る画像形成システムによれば、携帯端末装置の電池の残量が少なくても、携帯端末装置が、画像を示すデータを無線通信によって画像形成装置に送信し、画像形成装置が、そのデータで示される画像を印刷できる。
【００１０】
上記構成において、前記画像形成装置は、前記第２の記憶部に記憶されている前記データで示す前記画像の印刷設定の操作、及び、前記印刷ジョブを命令する操作をする第２の操作部をさらに備えており、前記印刷部は、前記第２の操作部において、前記印刷設定の操作がされ、かつ、前記印刷ジョブを命令する操作がされることにより、前記印刷設定に基づいて前記印刷ジョブを実行する。
【００１１】
この構成によれば、携帯端末装置の印刷設定画面で印刷設定が完了する前に、電池が切れた場合、携帯端末装置のユーザーが画像形成装置を操作することにより、画像を印刷することができる。
【００１２】
上記構成において、前記送信制御部が、前記第１の送信制御後、前記印刷設定画面に入力された印刷設定を示す設定データ、及び、印刷開始のコマンドを、前記送信部に送信させた場合、前記印刷部は、前記設定データで示す印刷設定に基づいて前記印刷ジョブを実行する。
【００１３】
この構成によれば、携帯端末装置の電池が切れることなく、携帯端末装置の印刷設定画面で印刷設定を完了すれば、携帯端末装置が、その印刷設定を示す設定データを画像形成装置に送信することにより、画像形成装置に画像を印刷させることができる。
【００１４】
上記構成において、前記携帯端末装置は、前記第１の送信制御後、前記印刷設定画面を前記表示部に表示させる制御部をさらに備える。
【００１５】
この構成によれば、印刷設定画面は、第１の送信制御後に、表示部に表示される。
【００１６】
上記構成において、前記画像形成装置は、前記第１の送信制御後、予め定められた条件下、前記第２の記憶部に記憶されている前記データを削除する削除部をさらに備える。
【００１７】
この構成によれば、携帯端末装置から送信されてきた画像を示すデータが、画像形成装置の第２の記憶部に蓄積されることにより、第２の記憶部の空き容量が小さくなることを防止できる。
【００１８】
上記構成において、前記削除部は、前記印刷ジョブが実行された場合を前記予め定められた条件として、前記第２の記憶部に記憶されている前記データを削除する。
【００１９】
この構成は、例えば、実施形態で説明するシナリオ３及びシナリオ５に対応する。
【００２０】
上記構成において、前記削除部は、前記送信制御部が、前記送信部に印刷のキャンセルコマンドを送信させた場合を前記予め定められた条件として、前記第２の記憶部に記憶されている前記データを削除する。
【００２１】
この構成は、例えば、実施形態で説明するシナリオ４に対応する。
【００２２】
上記構成において、前記削除部は、前記データが前記第２の記憶部に記憶されてから、予め定められた時間が経過した場合を前記予め定められた条件として、前記第２の記憶部に記憶されている前記データを削除する。
【００２３】
この構成は、例えば、実施形態で説明するシナリオ７に対応する。
【００２４】
上記構成において、前記削除部は、前記画像形成装置の電源が切れた後、再度、前記画像形成装置の電源が入った場合を前記予め定められた条件として、前記第２の記憶部に記憶されている前記データを削除する。
【００２５】
この構成は、例えば、実施形態で説明するシナリオ８に対応する。
【００２６】
上記構成において、前記送信制御部は、前記第１の送信制御後であり、かつ、前記電池の残量が前記所定のしきい値以上の場合、前記第１の操作、前記第２の操作、及び、前記画像の印刷を命令する第３の操作がされたときに、前記送信部に前記データを送信させる第２の送信制御をし、前記第２の記憶部は、前記第１の送信制御によって送信されてきた前記データである第１のデータ、及び、前記第２の送信制御によって送信されてきた前記データである第２のデータを記憶し、前記印刷部は、前記第２の記憶部に記憶されている前記第２のデータについて、前記印刷ジョブを実行し、前記削除部は、前記第２のデータについて前記印刷ジョブが実行された場合を前記予め定められた条件として、前記第２の記憶部に記憶されている前記第１のデータ及び前記第２のデータを削除する。
【００２７】
この構成は、例えば、実施形態で説明するシナリオ９に対応する。
【００２８】
上記構成において、前記画像形成装置は、前記第２の操作部において、前記第２の記憶部に記憶されている前記データについて、前記印刷ジョブをキャンセルする操作がされた場合、前記第２の記憶部に記憶されている前記データを削除する削除部をさらに備える。
【００２９】
この構成は、例えば、実施形態で説明するシナリオ６に対応する。
【００３０】
上記構成において、前記画像形成システムは、複数の前記画像形成装置を備えており、前記送信制御部は、複数の前記画像形成装置のうち、予め定められた画像形成装置に、前記送信部が前記データを送信する前記第１の送信制御をし、前記予め定められた画像形成装置は、前記送信制御部が、前記第１の送信制御後、前記印刷設定画面に入力された印刷設定を示す設定データ、及び、印刷開始のコマンドを、前記送信部に送信させた場合、前記予め定められた画像形成装置と別の画像形成装置に前記画像を印刷させる前記印刷設定か否かを判断する判断部と、前記判断部が、前記別の画像形成装置に前記画像を印刷させる前記印刷設定と判断した場合、前記別の画像形成装置に、前記データ、前記設定データ及び前記印刷開始のコマンドを転送する転送部と、をさらに備えており、前記別の画像形成装置の前記印刷部は、前記転送部によって転送されてきた前記データ、前記設定データ及び前記印刷開始のコマンドを基にして、前記印刷ジョブを実行する。
【００３１】
この構成では、携帯端末装置の電池の残量が少ない場合に、画像を示すデータが、先に、複数の画像形成装置のうち、予め定められた画像形成装置に送信される。携帯端末装置の電池が切れることなく、携帯端末装置の印刷設定画面で印刷設定を完了すれば、その印刷設定を示す設定データは、予め定められた画像形成装置に送信される。携帯端末装置のユーザーが印刷設定画面で設定した、画像を印刷する画像形成装置が、予め定められた画像形成装置と別の画像形成装置であることが起こり得る。このようなことが起きたとき、予め定められた画像形成装置は、別の画像形成装置に、画像を示すデータ、設定データ及び印刷開始のコマンドを転送する。そして、別の画像形成装置は、転送されてきたデータで示す画像を印刷する。この構成は、例えば、実施形態で説明するシナリオ１１に対応する。
【００３２】
本発明の第２の局面に係るプログラムは、携帯端末装置のコンピュータを、画像を示すデータを第１の記憶手段に記憶させる第１の記憶処理手段、前記第１の記憶手段に記憶されている前記データを、無線通信によって送信する送信手段、前記画像を選択する第１の操作、及び、印刷を選択する第２の操作がされる操作手段、前記携帯端末装置の電源となる電池の残量が所定のしきい値より小さい場合、前記第１の操作及び前記第２の操作がされたとき、印刷設定画面が前記携帯端末装置の表示部に表示される前に、前記送信手段に前記データを送信させる第１の送信制御をする送信制御手段として機能させる。
【００３３】
本発明の第２の局面に係るプログラムは、本発明の第１の局面に係る画像形成システムに備えられる携帯端末装置で実行することができる。
【００３４】
本発明の第３の局面に係るプログラムは、画像形成装置のコンピュータを、本発明の第２の局面に係るプログラムが実行されることにより、前記第１の送信制御によって送信されてきた前記データを第２の記憶手段に記憶させる第２の記憶処理手段、前記第２の記憶手段に記憶されている前記データで示す前記画像を印刷する印刷ジョブを実行する印刷手段として機能させる。
【００３５】
本発明の第３の局面に係るプログラムは、本発明の第１の局面に係る画像形成システムに備えられる画像形成装置で実行することができる。
【００３６】
上記構成において、前記画像形成装置のコンピュータに、前記第１の送信制御後、予め定められた条件下、前記第２の記憶手段に記憶されている前記データを削除する削除手段として機能させる。
【００３７】
この構成によれば、携帯端末装置から送信されてきた画像を示すデータが、画像形成装置の第２の記憶手段に蓄積されることにより、第２の記憶手段の空き容量が小さくなることを防止できる。
【発明の効果】
【００３８】
本発明によれば、携帯端末装置の電池の残量が少なくても、携帯端末装置が、画像を示すデータを無線通信によって画像形成装置に送信し、画像形成装置が、そのデータで示される画像を印刷できる。
【図面の簡単な説明】
【００３９】
【図１】本実施形態に係る画像形成システムの構成を示す模式図である。
【図２】本実施形態に係る画像形成システムに備えられる携帯端末装置の構成を示すブロック図である。
【図３】本実施形態に係る画像形成システムに備えられる画像形成装置の構成を示すブロック図である。
【図４】本実施形態に係る画像形成システムの動作において、共通のシナリオの概要を説明する説明図である。
【図５】操作表示部に選択画像画面が表示された携帯端末装置を示す平面図である。
【図６】操作表示部にメニュー画面が表示された携帯端末装置を示す平面図である。
【図７】本実施形態に係る画像形成システムの動作において、シナリオ１の概要を説明する説明図である。
【図８】操作表示部に印刷設定画面が表示された携帯端末装置を示す平面図である。
【図９】本実施形態に係る画像形成システムの動作において、シナリオ２の概要を説明する説明図である。
【図１０】本実施形態に係る画像形成システムの動作において、シナリオ３の概要を説明する説明図である。
【図１１】本実施形態に係る画像形成システムの動作において、シナリオ４の概要を説明する説明図である。
【図１２】本実施形態に係る画像形成システムの動作において、シナリオ５の概要を説明する説明図である。
【図１３】本実施形態に係る画像形成システムの動作において、シナリオ６の概要を説明する説明図である。
【図１４】本実施形態に係る画像形成システムの動作において、シナリオ７の概要を説明する説明図である。
【図１５】本実施形態に係る画像形成システムの動作において、シナリオ８の概要を説明する説明図である。
【図１６】本実施形態に係る画像形成システムの動作において、シナリオ９の概要を説明する説明図である。
【図１７】本実施形態に係る画像形成システムの動作において、シナリオ１０の概要を説明する説明図である。
【図１８】本実施形態に係る画像形成システムの動作において、シナリオ１１の概要を説明する説明図である。
【発明を実施するための形態】
【００４０】
以下、図面に基づいて本発明の実施形態を詳細に説明する。図１は、本発明の一実施形態に係る画像形成システム３の構成を示す模式図である。画像形成システム３は、画像形成装置１、パソコン７、アクセスポイント５、及び、携帯端末装置１０を備える。
【００４１】
画像形成装置１は、有線のＬＡＮ６０７に接続されている。図１には、ＬＡＮ６０７に接続された複数の画像形成装置１Ａ，１Ｂ，１Ｃが示されている。これらを区別する必要がない場合、画像形成装置１と記載する。画像形成装置１の数は、一つでもよい。
【００４２】
パソコン７は、ＬＡＮ６０７に接続されている。図１には、ＬＡＮ６０７に接続された複数のパソコン７Ａ，７Ｂ，７Ｃ，７Ｄ，７Ｅ，７Ｆが示されている。これらを区別する必要がない場合、パソコン７と記載する。パソコン７の数は、一つでもよいし、パソコン７がなくてもよい。
【００４３】
アクセスポイント５は、ＬＡＮ６０７に接続されている。アクセスポイント５と携帯端末装置１０との無線通信は、例えば、無線ＬＡＮである。アクセスポイント５は、携帯端末装置１０とＬＡＮ６０７とを相互に接続する。これにより、携帯端末装置１０が、画像を示すデータを画像形成装置１に送信し、画像形成装置１が、そのデータで示される画像を印刷することができる。
【００４４】
図１には、ＬＡＮ６０７に接続された一つのアクセスポイント５が示されている。アクセスポイント５の数は、複数でもよい。また、図１には、アクセスポイント５と無線通信が可能な一つの携帯端末装置１０が示されている。携帯端末装置１０の数は、複数でもよい。
【００４５】
図２は、携帯端末装置１０の構成を示すブロック図である。携帯端末装置１０は、例えば、スマートフォン、タブレット端末、携帯電話、ＰＤＡ（Personal Digital Assistant）のようなポータブルデバイスである。
【００４６】
携帯端末装置１０は、電池収容部１１、通信部１２、制御部１３、及び、操作表示部１４を備える。
【００４７】
電池収容部１１には、携帯端末装置１０の電源となる電池１５が収容される。電池１５は、充電池であるが、これに限らず、一次電池でもよい。
【００４８】
通信部１２は、無線通信を実行する通信インターフェイスである。
【００４９】
制御部１３は、ＣＰＵ（Central Processing Unit）、ＲＯＭ（Read Only Memory）、及び、ＲＡＭ（Random Access Memory）を備える。制御部１３は、携帯端末装置１０を動作させる制御を実行する。制御部１３は、機能ブロックとして、記憶部１６、設定部１７及び通信制御部１８を備える。
【００５０】
記憶部１６は、第１の記憶部として機能し、画像を示すデータを記憶する。このデータは、画像形成装置１において印刷可能な画像を示すデータであればよく、以下、画像データと記載する。画像データの形式は、例えば、ＪＰＥＧ、ＰＤＦである。通信部１２は、記憶部１６に記憶されている画像データを、無線通信によって送信する送信部として機能する。
【００５１】
電池１５の残量が所定のしきい値より小さい場合、後述する第１の送信制御がされる。設定部１７は、第１の送信制御によって、画像データが送信される宛先となる画像形成装置１を設定する。この設定は、自動で設定することもできるし、手動で設定することもできる。
【００５２】
自動設定では、携帯端末装置１０が、記憶部１６に記憶されている画像データで示される画像を、図１に示す画像形成装置１に印刷させた履歴が利用される。設定部１７は、この履歴を基にして、複数の画像形成装置１の中から利用回数が多い画像形成装置１を宛先として設定する。手動設定では、携帯端末装置１０のユーザーが、複数の画像形成装置１の中から画像形成装置１を予め選択する。設定部１７は、選択された画像形成装置１を宛先として設定する。
【００５３】
通信制御部１８は、通信部１２を制御し、通信部１２に送信処理や受信処理をさせる。
【００５４】
操作表示部１４は、液晶表示パネルのような表示部を備えるタッチパネル式のユーザーインターフェイスである。操作表示部１４において、携帯端末装置１０を動作させるための各種操作がされる。操作表示部１４は、第１の操作部として機能し、第１の操作、第２の操作、及び、第３の操作がされる。第１の操作とは、記憶部１６に記憶されている画像データの中から、印刷したい画像を示す画像データを選択することである。第２の操作とは、印刷を選択することである。第３の操作とは、第１の操作で選択した画像の印刷を命令することである。なお、携帯端末装置１０が、操作表示部１４を備えずに、表示部と、ハードキーを有する操作部と、を備える態様でもよい。
【００５５】
通信制御部１８は、送信制御部として機能し、第１の送信制御をする。第１の送信制御とは、携帯端末装置１０の電源となる電池１５の残量が、所定のしきい値より小さい場合、第１の操作及び第２の操作がされたとき、印刷設定画面４０（図８）が操作表示部１４に表示される前に、通信部１２に画像データを送信させることである。所定のしきい値とは、携帯端末装置１０に記憶されている画像を示す画像データを、無線通信によって送信し、画像形成装置１が、送信されてきた画像データで示される画像を印刷する処理に支障が生じるおそれがある電池１５の残量である。例えば、操作表示部１４において第１の操作及び第２の操作ができ、かつ、通信部１２が画像形成装置１に画像データを送信できる電池の残量１５をしきい値にすることができる。これは一例であり、しきい値をこれより大きくしてもよい。
【００５６】
図３は、画像形成装置１の構成を示すブロック図である。画像形成装置１として、コピー、プリンター、スキャナー及びファクシミリの機能を有するデジタル複合機を例に説明する。画像形成装置１は、画像を印刷する機能を有する装置であればよく、デジタル複合機に限定されない。例えば、プリンターを画像形成装置１としてもよい。画像形成装置１は、印刷部１００、原稿読取部２００、原稿給送部３００、操作部４００、制御部５００、及び、通信部６００を備える。
【００５７】
原稿給送部３００は、原稿給送部３００に設けられた原稿載置部に１枚の原稿が置かれている場合、その原稿を原稿読取部２００に送り、原稿載置部に複数枚の原稿が置かれている場合、複数枚の原稿を連続的に原稿読取部２００に送る。
【００５８】
原稿読取部２００は、原稿台に載置された原稿や、原稿給送部３００から給送された原稿を読み取り、その原稿の画像データを出力する。
【００５９】
印刷部１００は、印刷ジョブを実行する。印刷ジョブとは、画像を示すデータ（例えば、携帯端末装置１０から送信されてきた画像データ、原稿読取部２００から出力された画像データ、パソコン７から送信されてきた印刷データ、ファクシミリ受信の画像データ）について、そのデータで示される画像を印刷した印刷物を生成するジョブである。
【００６０】
操作部４００は、操作キー部４０１と表示部４０３を備える。表示部４０３は、タッチパネル機能を有しており、ソフトキーを含む画面が表示される。ユーザーは、画面を見ながらソフトキーを操作することによって、コピー等の機能の実行に必要な設定等をする。
【００６１】
操作キー部４０１には、ハードキーからなる操作キーが設けられている。操作キーは、例えば、スタートキー、テンキー、リセットキー、コピー、プリンター、スキャナー及びファクシミリを切り換えるための機能切換キーである。
【００６２】
制御部５００は、ＣＰＵ、ＲＯＭ、及び、ＲＡＭを備える。ＣＰＵは、画像形成装置１を動作させるために必要な制御を、画像形成装置１の上記構成要素（例えば、印刷部１００）に対して実行する。ＲＯＭは、画像形成装置１の動作の制御に必要なソフトウェアを記憶している。ＲＡＭは、ソフトウェアの実行時に発生するデータの一時的な記憶及びアプリケーションソフトの記憶等に利用される。
【００６３】
制御部５００は、機能ブロックとして、記憶部５０１、及び、削除部５０３を備える。これらのブロックの詳細は、後で説明する。
【００６４】
通信部６００は、ファクシミリ通信部６０１及びネットワークＩ／Ｆ部６０３を備える。ファクシミリ通信部６０１は、相手先ファクシミリとの電話回線の接続を制御するＮＣＵ（Network Control Unit）及びファクシミリ通信用の信号を変復調する変復調回路を備える。ファクシミリ通信部６０１は、電話回線６０５に接続される。
【００６５】
ネットワークＩ／Ｆ部６０３は、ＬＡＮ（Local Area Network）６０７に接続される。ネットワークＩ／Ｆ部６０３は、パソコン７との間、他の画像形成装置１との間、及び、アクセスポイント５との間で通信を実行するための通信インターフェイス回路である。
【００６６】
記憶部５０１は、第２の記憶部として機能し、上記第１の送信制御によって送信されてきた画像データを記憶する。画像形成装置１のドキュメントボックスの一部を、記憶部５０１にすることができる。ドキュメントボックスは、画像形成装置１に備えられるハードディスクドライブで構成することができる。
【００６７】
削除部５０３は、予め定められた条件下、記憶部５０１に記憶されている、携帯端末装置１０から無線通信によって送信されてきた画像データを削除する。
【００６８】
なお、操作部４００は、第２の操作部として機能し、記憶部５０１に記憶されている画像データで示す画像の印刷設定の操作、及び、その画像を印刷する印刷ジョブを命令する操作をする。印刷部１００は、操作部４００において、印刷設定の操作がされ、かつ、印刷ジョブを命令する操作がされることにより、印刷設定に基づいて印刷ジョブを実行する。これは、携帯端末装置１０の電池１５が切れた場合の態様である。通信制御部１８が、通信部１２に、印刷設定画面４０に入力された印刷設定を示す設定データ、及び、印刷開始のコマンドを送信させることができた場合、印刷部１００は、設定データで示す印刷設定に基づいて印刷ジョブを実行する。これは、携帯端末装置１０の電池１５が切れない場合の態様である。
【００６９】
画像形成システム３の動作のシナリオとして、いくつか考えられる。これについて、主に図１〜図３を参照して説明する。まず、共通のシナリオから説明する。
【００７０】
１．共通のシナリオ
図４は、共通のシナリオの概要を説明する説明図である。共通のシナリオは、以下の第１ステップ〜第６ステップによって構成される。
【００７１】
（第１ステップ）
ユーザーは、携帯端末装置１０の操作表示部１４（第１の操作部）を操作して、記憶部１６（第１の記憶部）に記憶されている画像データで示される画像の中から印刷の対象となる画像（例えば、図５に示す画像２１）を選択する。この操作が、画像を選択する第１の操作である。
【００７２】
（第２ステップ）
第１の操作により、携帯端末装置１０において、制御部１３は、図５に示すように、画像２１を含む選択画像画面２０を操作表示部１４に表示させる。図５は、操作表示部１４に選択画像画面２０が表示された携帯端末装置１０を示す平面図である。選択画像画面２０は、画像２１が選択されたことを示す画面である。選択画像画面２０には、画像２１に加えて、アイコン２２が含まれる。アイコン２２は、メニュー画面３０（図６）を表示する指示に用いられる。
【００７３】
（第３ステップ）
ユーザーがアイコン２２をタッチしてメニュー画面３０を表示する指示をする。
【００７４】
（第４ステップ）
アイコン２２がタッチされると、携帯端末装置１０において、制御部１３は、図６に示すように、操作表示部１４に表示させる画面を、選択画像画面２０からメニュー画面３０に切り換える。図６は、操作表示部１４にメニュー画面３０が表示された携帯端末装置１０を示す平面図である。
【００７５】
メニュー画面３０には、画像２１について様々な処理をするためのアイコンが含まれる。図６には、アイコン３１，３２，３３が示されている。アイコン３１がタッチされると、制御部１３は、画像２１をメールに添付する操作モードに移行する。アイコン３２がタッチされると、制御部１３は、画像２１を操作表示部１４の壁紙にする操作モードに移行する。アイコン３３がタッチされると、制御部１３は、画像２１を印刷する操作モードに移行する。
【００７６】
（第５ステップ）
ユーザーは、アイコン３３をタッチして印刷を選択する指示をする。この操作が、印刷を選択する第２の操作である。
【００７７】
（第６ステップ）
第２の操作がされると、携帯端末装置１０において、制御部１３は、印刷設定画面４０（図８）が操作表示部１４に表示される前に、電池１５の残量が所定のしきい値より小さいか否かを判定する。
【００７８】
以上が共通のシナリオである。
【００７９】
第６ステップにおいて、電池１５の残量がしきい値以上の場合、シナリオ１，２がある。これに対して、第６ステップにおいて、電池１５の残量がしきい値より小さい場合、シナリオ３〜シナリオ１１がある。
【００８０】
２．シナリオ１
図７は、シナリオ１の概要を説明する説明図である。シナリオ１は、電池１５の残量がしきい値以上の場合において、印刷が実行される。シナリオ１は、以下の第７ステップ〜第１３ステップによって構成される。
【００８１】
（第７ステップ）
図４に示す第５ステップにおいて、図６に示すアイコン３３がタッチされて印刷を選択する指示がされている。携帯端末装置１０において、制御部１３は、操作表示部１４に表示させる画面を、メニュー画面３０から図８に示す印刷設定画面４０に切り換える。図８は、操作表示部１４に印刷設定画面４０が表示された携帯端末装置１０を示す平面図である。
【００８２】
印刷設定画面４０は、各種アイコン４１〜４６を含む。
【００８３】
アイコン４１がタッチされると、制御部１３は、操作表示部１４に表示させる画面を、印刷設定画面４０からプリンターを設定するための画面に切り換え、その画面において、プリンターを設定することができる。すなわち、画像形成装置１Ａ，１Ｂ，１Ｃの中から印刷ジョブを実行する画像形成装置１を選択する。
【００８４】
アイコン４２がタッチされると、制御部１３は、操作表示部１４に表示させる画面を、印刷設定画面４０から用紙の種類を設定するための画面に切り換え、その画面において、用紙の種類を設定することができる。
【００８５】
アイコン４３がタッチされると、制御部１３は、操作表示部１４に表示させる画面を、印刷設定画面４０から用紙のサイズを設定するための画面に切り換え、その画面において、用紙のサイズを設定することができる。
【００８６】
アイコン４４がタッチされると、制御部１３は、操作表示部１４に表示させる画面を、印刷設定画面４０から印刷部数を設定するための画面に切り換え、その画面において、印刷部数を設定することができる。
【００８７】
アイコン４５は、印刷開始を指示するのに用いられる。アイコン４５がタッチされると、通信制御部１８は、画像２１を示す画像データ、印刷設定画面４０に入力された印刷設定を示すデータ（以下、設定データ）、及び、印刷開始のコマンドを、通信部１２に無線通信によって送信させる。この操作が、画像の印刷を命令する第３の操作である。
【００８８】
アイコン４６は、印刷の選択をキャンセルするのに用いられる。アイコン４６がタッチされると、上記設定データが削除されて、制御部１３は、操作表示部１４に表示させる画面を、印刷設定画面４０から、この画面よりも上層の画面、例えば、初期画面に切り換える。
【００８９】
（第８ステップ）
ユーザーが、アイコン４１〜４４をタッチして印刷設定をする。ここでは、プリンターとして、画像形成装置１Ａが選択されているとする。そして、アイコン４５をタッチする。
【００９０】
（第９ステップ）
アイコン４５がタッチされると、携帯端末装置１０において、通信制御部１８は、画像２１を示す画像データ、設定データ、及び、印刷開始のコマンドを、通信部１２に無線通信によって送信させる。
【００９１】
（第１０ステップ）
画像２１を示す画像データ、設定データ、及び、印刷開始のコマンドは、図１に示すアクセスポイント５で受信される。アクセスポイント５は、これらを、ＬＡＮ６０７を利用して、画像形成装置１Ａに送信する。これにより、画像２１を示す画像データ、設定データ、及び、印刷開始のコマンドは、画像形成装置１ＡのネットワークＩ／Ｆ部６０３で受信される。
【００９２】
（第１１ステップ）
画像形成装置１Ａにおいて、制御部５００は、第１０ステップでネットワークＩ／Ｆ部６０３で受信された画像２１を示す画像データを、記憶部５０１に記憶させる。
【００９３】
（第１２ステップ）
画像形成装置１Ａにおいて、制御部５００は、記憶部５０１に記憶されている画像２１を示す画像データを読み出して、第１０ステップでネットワークＩ／Ｆ部６０３で受信された設定データを基にして、画像２１を印刷させる印刷ジョブを、印刷部１００に実行させる。
【００９４】
（第１３ステップ）
画像２１が印刷されると、記憶部５０１に記憶されている画像２１を示す画像データは、不要である。そこで、画像形成装置１Ａにおいて、削除部５０３は、第１２ステップの後に、記憶部５０１に記憶されている画像２１を示す画像データを削除する。
【００９５】
３．シナリオ２
図９は、シナリオ２の概要を説明する説明図である。シナリオ２は、電池１５の残量がしきい値以上の場合において、印刷をキャンセルする。シナリオ２は、以下の第７ステップ及び第８ステップによって構成される。
【００９６】
（第７ステップ）
このステップは、図７に示すシナリオ１の第７ステップと同じなので、説明を省略する。
【００９７】
（第８ステップ）
ユーザーが、図８に示すアイコン４１〜４４を操作して、印刷設定画面４０上で印刷設定をした後に、ユーザーがアイコン４６をタッチする。これにより、携帯端末装置１０において、制御部１３は、画像２１を印刷する選択をキャンセルする。なお、印刷設定画面４０上で印刷設定をする前に、ユーザーがアイコン４６をタッチしても、同様の処理がされる。
【００９８】
４．シナリオ３
図１０は、シナリオ３の概要を説明する説明図である。シナリオ３は、電池１５の残量がしきい値より小さい場合において、携帯端末装置１０の操作中に電池１５が切れず、かつ、印刷を実行する。シナリオ３は、以下の第７ステップ〜第１５ステップによって構成される。
【００９９】
（第７ステップ）
図４の第６ステップで説明したように、携帯端末装置１０において、制御部１３が、電池１５の残量がしきい値より小さいと判定した場合、通信制御部１８は、画像２１を示す画像データを、通信部１２に無線通信によって送信させる制御をする（第１の送信制御）。なお、第１の送信制御をするときに、画像データを送信する宛先として、設定部１７は、画像形成装置１Ｂを予め設定しているとする。
【０１００】
（第８ステップ）
画像２１を示す画像データは、アクセスポイント５（図１）で受信される。アクセスポイント５は、これを、ＬＡＮ６０７を利用して、画像形成装置１Ｂに送信する。これにより、画像２１を示す画像データは、画像形成装置１ＢのネットワークＩ／Ｆ部６０３で受信される。
【０１０１】
（第９ステップ）
画像形成装置１Ｂにおいて、制御部５００は、ネットワークＩ／Ｆ部６０３で受信された画像２１を示す画像データを、記憶部５０１に記憶させる。
【０１０２】
（第１０ステップ）
このステップは、図７に示すシナリオ１の第７ステップと同じなので、説明を省略する。画像２１を示す画像データを送信する宛先として、画像形成装置１Ｂが予め設定されているので、図８に示すアイコン４１において、画像形成装置１Ｂが選択されている旨が示される。
【０１０３】
（第１１ステップ）
ユーザーが、図８に示すアイコン４２〜４４をタッチして印刷設定をする。そして、アイコン４５をタッチする。
【０１０４】
（第１２ステップ）
これにより、携帯端末装置１０において、通信制御部１８は、設定データ、及び、印刷開始のコマンドを、通信部１２に無線通信によって送信させる。設定データとは、印刷設定画面４０に入力された印刷設定を示すデータである。なお、画像２１を示す画像データは、第７ステップにおいて、既に送信されている。
【０１０５】
（第１３ステップ）
設定データ、及び、印刷開始のコマンドは、アクセスポイント５で受信される。アクセスポイント５は、これらを、ＬＡＮ６０７を利用して、画像形成装置１Ｂに送信する。これにより、設定データ、及び、印刷開始のコマンドは、画像形成装置１ＢのネットワークＩ／Ｆ部６０３で受信される。
【０１０６】
（第１４ステップ）
画像形成装置１Ｂにおいて、制御部５００は、記憶部５０１に記憶されている画像２１を示す画像データを読み出して、第１３ステップでネットワークＩ／Ｆ部６０３が受信した設定データを基にして、画像２１を印刷させる印刷ジョブを、印刷部１００に実行させる。
【０１０７】
（第１５ステップ）
画像形成装置１Ｂにおいて、削除部５０３は、第１４ステップの後に、記憶部５０１に記憶されている画像２１を示す画像データを削除する。
【０１０８】
５．シナリオ４
図１１は、シナリオ４の概要を説明する説明図である。シナリオ４は、電池１５の残量がしきい値より小さい場合において、携帯端末装置１０の操作中に電池１５が切れず、かつ、印刷をキャンセルする。シナリオ４は、以下の第７ステップ〜第１４ステップによって構成される。
【０１０９】
（第７ステップ）〜（第１０ステップ）
これらのステップは、図１０に示すシナリオ３の第７ステップ〜第１０ステップと同じなので、説明を省略する。
【０１１０】
（第１１ステップ）
このステップは、図９に示すシナリオ２の第８ステップと同じなので、説明を省略する。
【０１１１】
（第１２ステップ）
携帯端末装置１０において、通信制御部１８は、印刷のキャンセルコマンドを、通信部１２に無線通信によって送信させる。送信の宛先は、設定部１７で予め設定されている画像形成装置１Ｂである。画像形成装置１Ｂの記憶部５０１に、既に画像２１を示す画像データが記憶されているので、この画像データを削除するためである。
【０１１２】
（第１３ステップ）
印刷のキャンセルコマンドは、アクセスポイント５で受信される。アクセスポイント５は、これを、ＬＡＮ６０７を利用して、画像形成装置１Ｂに送信する。これにより、印刷のキャンセルコマンドは、画像形成装置１ＢのネットワークＩ／Ｆ部６０３で受信される。
【０１１３】
（第１４ステップ）
画像形成装置１Ｂにおいて、削除部５０３は、第１３ステップのキャンセルコマンドに基づいて、記憶部５０１に記憶されている画像２１を示す画像データを削除する。
【０１１４】
６．シナリオ５
図１２は、シナリオ５の概要を説明する説明図である。シナリオ５は、電池１５の残量がしきい値より小さい場合において、携帯端末装置１０の操作中に電池１５が切れ、かつ、印刷を実行する。シナリオ５は、以下の第７ステップ〜第１４ステップによって構成される。
【０１１５】
（第７ステップ）〜（第１０ステップ）
これらのステップは、図１０に示すシナリオ３の第７ステップ〜第１０ステップと同じなので、説明を省略する。
【０１１６】
（第１１ステップ）
ユーザーが、図８に示す印刷設定画面４０上で、印刷設定を完了する前に、電池１５が切れる。
【０１１７】
（第１２ステップ）
第１０ステップにおいて、印刷設定画面４０には、画像２１を示す画像データが送信される宛先として画像形成装置１Ｂが表示されている。携帯端末装置１０のユーザーは、画像形成装置１Ｂにおいて、操作部４００を操作して、画像形成装置１Ｂのドキュメントボックスを開け、画像２１を選択する。制御部５００は、図８に示す印刷設定画面４０と同じ画面を、表示部４０３に表示させる。表示部４０３に表示された印刷設定画面４０上で印刷設定し、アイコン４５をタッチする。
【０１１８】
（第１３ステップ）
これにより、画像形成装置１Ｂにおいて、制御部５００は、記憶部５０１に記憶されている画像２１を示す画像データを読み出して、このデータに対して、印刷部１００に印刷ジョブを実行させる。
【０１１９】
（第１４ステップ）
画像形成装置１Ｂにおいて、削除部５０３は、第１３ステップの後に、記憶部５０１に記憶されている画像２１を示す画像データを削除する。
【０１２０】
７．シナリオ６
図１３は、シナリオ６の概要を説明する説明図である。シナリオ６は、電池１５の残量がしきい値より小さい場合において、携帯端末装置１０の操作中に電池１５が切れ、かつ、印刷をキャンセルする。シナリオ６は、以下の第７ステップ〜第１３ステップによって構成される。
【０１２１】
（第７ステップ）〜（第１１ステップ）
これらのステップは、図１２に示すシナリオ５の第７ステップ〜第１１ステップと同じなので、説明を省略する。
【０１２２】
（第１２ステップ）
携帯端末装置１０のユーザーは、画像形成装置１Ｂにおいて、操作部４００を操作して、画像形成装置１Ｂのドキュメントボックスを開け、画像２１を選択する。制御部５００は、図８に示す印刷設定画面４０と同じ画面を、表示部４０３に表示させる。表示部４０３に表示された印刷設定画面４０上で印刷設定し、アイコン４６をタッチする。なお、印刷設定する前に、アイコン４６をタッチしてもよい。
【０１２３】
（第１３ステップ）
画像形成装置１Ｂにおいて、削除部５０３は、印刷のキャンセル指示により、記憶部５０１に記憶されている画像２１を示す画像データを削除する。
【０１２４】
８．シナリオ７
図１４は、シナリオ７の概要を説明する説明図である。シナリオ７は、電池１５の残量がしきい値より小さい場合において、携帯端末装置１０の操作中に電池１５が切れ、かつ、画像形成装置１Ｂにおいて印刷ジョブを実行する操作がされない。シナリオ７は、以下の第７ステップ〜第１２ステップによって構成される。
【０１２５】
（第７ステップ）〜（第１１ステップ）
これらのステップは、図１２に示すシナリオ５の第７ステップ〜第１１ステップと同じなので、説明を省略する。
【０１２６】
（第１２ステップ）
画像形成装置１Ｂにおいて、制御部５００は、記憶部５０１に画像２１を示す画像データが記憶されたとき、制御部５００に備えられたタイマーをスタートさせる。制御部５００は、予め定められた時間（例えば、１時間）の情報を予め記憶している。制御部５００が、タイマーが計測した時間が予め定められた時間を経過したと判断した場合、削除部５０３は、記憶部５０１に記憶されている画像２１を示す画像データを削除する。このように、記憶部５０１に画像２１を示す画像データが記憶されてから、予め定められた時間が経過するまでに、画像２１が印刷されない場合、画像２１が印刷されないと見なして、画像２１を示す画像データを記憶部５０１から削除する。
【０１２７】
９．シナリオ８
図１５は、シナリオ８の概要を説明する説明図である。シナリオ８は、電池１５の残量がしきい値より小さい場合において、携帯端末装置１０の操作中に電池１５が切れ、かつ、画像形成装置１の電源を切る。シナリオ８は、以下の第７ステップ〜第１３ステップによって構成される。
【０１２８】
（第７ステップ）〜（第１１ステップ）
これらのステップは、図１２に示すシナリオ５の第７ステップ〜第１１ステップと同じなので、説明を省略する。
【０１２９】
（第１２ステップ）
画像形成装置１Ｂの管理者等が、画像形成装置１Ｂの電源を切り、再度、電源を入れる操作をする。例えば、本日の仕事が終了したので画像形成装置１Ｂの電源を切り、翌日、仕事をするために、画像形成装置１Ｂの電源を入れる。
【０１３０】
（第１３ステップ）
第１２ステップが実行されると、画像形成装置１Ｂにおいて、制御部５００は、記憶部５０１に画像２１を示す画像データが記憶されているか否かを判断する。制御部５００が、記憶部５０１に画像２１を示す画像データが記憶されていると判断した場合、削除部５０３は、記憶部５０１に記憶された画像２１を示す画像データを削除する。画像形成装置１Ｂの電源が切られると、画像２１が印刷されないと見なして、画像２１を示す画像データを記憶部５０１から削除する。
【０１３１】
１０．シナリオ９
図１６は、シナリオ９の概要を説明する説明図である。シナリオ９は、電池１５の残量がしきい値より小さい場合において、携帯端末装置１０の操作中に電池１５が切れ、かつ、電池１５を充電する。シナリオ９は、以下の第７ステップ〜第２５ステップによって構成される。
【０１３２】
（第７ステップ）〜（第１１ステップ）
これらのステップは、図１２に示すシナリオ５の第７ステップ〜第１１ステップと同じなので、説明を省略する。
【０１３３】
（第１２ステップ）
ユーザーが携帯端末装置１０の電池１５を充電する。
【０１３４】
（第１３ステップ）〜（第１８ステップ）
図４に示す共通のシナリオの第１ステップ〜第６ステップと同じなので、説明を省略する。
【０１３５】
（第１９ステップ）〜（第２４ステップ）
図７に示すシナリオ１の第７ステップ〜第１２ステップと同じなので、説明を省略する。なお、画像２１を印刷する画像形成装置１として、画像形成装置１Ｂが設定されているとする。
【０１３６】
（第２５ステップ）
画像形成装置１Ｂにおいて、記憶部５０１には、第９ステップ及び第２３ステップで送信されてきた画像２１を示す画像データが記憶されている。第２４ステップで画像２１の印刷がされたので、これらの画像データは不要である。そこで、画像形成装置１Ｂにおいて、削除部５０３は、記憶部５０１に記憶されているこれらの画像データを削除する。
【０１３７】
１１．シナリオ１０
図１７は、シナリオ１０の概要を説明する説明図である。シナリオ１０は、電池１５の残量がしきい値より小さい場合において、携帯端末装置１０から画像データを送信中に電池１５が切れる。シナリオ１０は、以下の第７ステップ〜第１３ステップによって構成される。
【０１３８】
（第７ステップ）
このステップは、図１２に示すシナリオ５の第７ステップと同じなので、説明を省略する。
【０１３９】
（第８ステップ）
携帯端末装置１０が、画像２１を示す画像データの送信中に、携帯端末装置１０の電池１５が切れる。
【０１４０】
（第９ステップ）
画像形成装置１Ｂにおいて、ネットワークＩ／Ｆ部６０３は、画像２１を示す画像データの送信中断を検知し、制御部５００は、送信中断によるエラー状態を記憶する。記憶部５０１に、画像２１を示す画像データの一部が記憶されていれば、削除部５０３は、それを削除する。
【０１４１】
（第１０ステップ）
携帯端末装置１０のユーザーは、第８ステップの状態を通常、認識できない。携帯端末装置１０のユーザーは、画像２１を示す画像データが画像形成装置１Ｂに送信されたと考え、画像形成装置１Ｂにおいて、操作部４００を操作して、画像２１を印刷する操作をする。
【０１４２】
（第１１ステップ）
画像形成装置１Ｂにおいて、制御部５００は、表示部４０３に、送信中断を示すエラー表示をさせる。
【０１４３】
（第１２ステップ）
携帯端末装置１０のユーザーが、画像形成装置１Ｂにおいて、操作部４００を操作して、エラーを確認する入力をする。
【０１４４】
（第１３ステップ）
画像形成装置１Ｂにおいて、制御部５００は、表示部４０３に、エラー表示を消す制御をする。
【０１４５】
１２．シナリオ１１
図１８は、シナリオ１１の概要を説明する説明図である。シナリオ１１は、図１０に示すシナリオ３の変形例である。携帯端末装置１０は、電池１５の残量が少ないので、画像２１を示す画像データを先に画像形成装置１Ｂに送信する。ユーザーが携帯端末装置１０において、印刷設定をして、画像形成装置１Ａを選択する。シナリオ１１は、以下の第７ステップ〜第２０ステップによって構成される。
【０１４６】
（第７ステップ）〜（第１３ステップ）
これらのステップは、図１０に示すシナリオ３の第７ステップ〜第１３ステップと同じなので、説明を省略する。
【０１４７】
（第１４ステップ）
画像形成装置１Ｂにおいて、制御部５００は、第１３ステップで受信した設定データを参照し、画像２１を印刷する画像形成装置１として画像形成装置１Ａが選択されていると判断する。
【０１４８】
（第１５ステップ）
画像形成装置１Ｂにおいて、制御部５００は、第９ステップで記憶した画像２１を示す画像データ、及び、第１３ステップで受信した設定データ及び印刷開始コマンドを、画像形成装置１Ａに転送する。
【０１４９】
（第１６ステップ）
画像形成装置１Ｂにおいて、削除部５０３は、記憶部５０１に記憶されている画像２１を示す画像データを削除する。
【０１５０】
（第１７ステップ）
画像形成装置１Ａにおいて、ネットワークＩ／Ｆ部６０３は、第１５ステップで転送されてきた画像２１を示す画像データ、設定データ及印刷開始コマンドを受信する。
【０１５１】
（第１８ステップ）
画像形成装置１Ａにおいて、制御部５００は、第１７ステップで受信された画像２１を示す画像データを記憶部５０１に記憶させる。
【０１５２】
（第１９ステップ）
画像形成装置１Ａにおいて、制御部５００は、記憶部５０１に記憶されている画像２１を示す画像データを読み出して、第１７ステップでネットワークＩ／Ｆ部６０３が受信した設定データを基にして、画像２１を印刷させる印刷ジョブを、印刷部１００に実行させる。
【０１５３】
（第２０ステップ）
画像形成装置１Ａにおいて、削除部５０３は、記憶部５０１に記憶されている画像２１を示す画像データを削除する。
【０１５４】
シナリオ１１は、以下のように表現することができる。画像形成システム３は、複数の画像形成装置１を備える。携帯端末装置１０において、通信制御部１８は、複数の画像形成装置１のうち、予め定められた画像形成装置１に、通信部１２が画像データを送信する第１の送信制御をする。予め定められた画像形成装置１は、判断部及び転送部を備える。判断部は、通信制御部１８が、第１の送信制御後、設定データ、及び、印刷開始のコマンドを、通信部１２に送信させた場合、予め定められた画像形成装置１と別の画像形成装置１に画像を印刷させる印刷設定か否かを判断する。判断部は、制御部５００によって実現される。転送部は、判断部が、別の画像形成装置１に画像を印刷させる印刷設定と判断した場合、別の画像形成装置１に、画像データ、設定データ及び印刷開始のコマンドを転送する。転送部は、制御部５００及びネットワークＩ／Ｆ部６０３によって実現される。別の画像形成装置１の印刷部１００は、転送部によって転送されてきた画像データ、設定データ及び印刷開始のコマンドを基にして、印刷ジョブを実行する。
【０１５５】
携帯端末装置１０の電池１５の残量が少ない場合に、画像データが、先に、複数の画像形成装置のうち、予め定められた画像形成装置１に送信される。携帯端末装置１０の電池１５が切れることなく、携帯端末装置１０の印刷設定画面４０で印刷設定を完了すれば、その印刷設定を示す設定データは、予め定められた画像形成装置１に送信される。携帯端末装置１０のユーザーが印刷設定画面４０で設定した、画像を印刷する画像形成装置１が、予め定められた画像形成装置１と別の画像形成装置１であることが起こり得る。このようなことが起きたとき、予め定められた画像形成装置は、別の画像形成装置に、画像データ、設定データ及び印刷開始のコマンドを転送する。そして、別の画像形成装置は、転送されてきた画像データで示す画像を印刷する。
【０１５６】
本実施形態の主な効果を説明する。携帯端末装置１０に記憶されている画像データで示す画像２１（図５）を、画像形成装置１を用いて印刷する場合、図８に示すように、携帯端末装置１０の操作表示部１４に表示された印刷設定画面４０上で印刷設定をする。この印刷設定のために、携帯端末装置１０では、例えば、以下の電力が消費される。
【０１５７】
操作表示部１４に印刷設定画面４０を表示制御する電力が消費される。操作表示部１４のバックライトを点灯する電力が消費される。印刷設定画面４０のアイコン４１〜４４をタッチすることにより、発生する処理に要する電力が消費される。印刷設定画面４０が小さいため、印刷設定のために、下層の画面に切り換える必要があり、下層の画面に切り換える処理に電力が消費される。印刷設定が画像形成装置１において禁則（例えば、トナーがない、用紙がない）に該当する場合があるので、それを画像形成装置１に問い合わせる処理に電力が消費される。
【０１５８】
このように、印刷設定に要する電力は少なくないので、電池１５の残量が少ない場合、印刷設定に要する電力のために、電池１５が切れる可能性がある。
【０１５９】
そこで、本実施形態では、図４に示す共通のシナリオで説明したように、携帯端末装置１０において、印刷が選択されると（第５ステップ）、携帯端末装置１０は、電池１５の残量が所定のしきい値より小さいか否かを判定する（第６ステップ）。携帯端末装置１０が、電池１５の残量が所定のしきい値より小さいと判定した場合、携帯端末装置１０は、メニュー画面３０（図６）から印刷設定画面４０（図８）に切り換える前に、画像２１を示す画像データを画像形成装置１に送信する（例えば、図１０に示すシナリオ３の第７ステップ、図１２に示すシナリオ５の第７ステップ）。その画像データが、画像形成装置１に備えられる記憶部５０１に記憶される（例えば、シナリオ３の第９ステップ、シナリオ５の第９ステップ）。
【０１６０】
従って、携帯端末装置１０の印刷設定画面４０で印刷設定が完了する前に、携帯端末装置１０の電池１５が切れても、ユーザーが画像形成装置１を操作することにより、画像を印刷することができる（例えば、シナリオ５の第１２ステップ、第１３ステップ）。一方、携帯端末装置１０の電池１５が切れることなく、携帯端末装置１０の印刷設定画面４０で印刷設定を完了すれば、携帯端末装置１０が、その印刷設定を示す設定データを画像形成装置１に送信することにより、画像形成装置１に画像を印刷させることができる（例えば、シナリオ３の第１０ステップ〜第１４ステップ）。
【０１６１】
また、本実施形態によれば、画像形成装置１の記憶部５０１に記憶された画像２１を示す画像データを、適切なタイミングで削除している（図７に示すシナリオ１の第１３ステップ、図１０に示すシナリオ３の第１５ステップ、図１１に示すシナリオ４の第１４ステップ、図１２に示すシナリオ５の第１４ステップ、図１３に示すシナリオ６の第１３ステップ、図１４に示すシナリオ７の第１２ステップ、図１５に示すシナリオ８の第１３ステップ、図１６に示すシナリオ９の第２５ステップ、図１８に示すシナリオ１１の第１６ステップ及び第２０ステップ）。従って、記憶部５０１に、携帯端末装置１０から送信されてきた画像データが蓄積されることにより、記憶部５０１の空き容量が小さくなることを防止できる。
【０１６２】
本実施形態では、図１に示すアクセスポイント５を利用して、携帯端末装置１０から画像形成装置１に、画像２１を示す画像データを送信している。これに限定されず、携帯端末装置１０が、無線通信によって、直接に、画像２１を示す画像データを画像形成装置１に送信し、画像２１を画像形成装置１に印刷させる態様でもよい。
【符号の説明】
【０１６３】
１，１Ａ，１Ｂ，１Ｃ  画像形成装置
３  画像形成システム
１０  携帯端末装置
１２  通信部（送信部の一例）
１４  操作表示部（第１の操作部の一例）
１５  電池
１６  記憶部（第１の記憶部の一例）
１８  通信制御部（送信制御部の一例）
２０  選択画像画面
２１  画像
３０  メニュー画面
４０  印刷設定画面
１００  印刷部
４００  操作部（第２の操作部）
５０１  記憶部（第２の記憶部の一例）
５０３  削除部
６０７  ＬＡＮ
【図１】
0006303893.tif 000002
【図２】
0006303893.tif 000003
【図３】
0006303893.tif 000004
【図４】
0006303893.tif 000005
【図５】
0006303893.tif 000006
【図６】
0006303893.tif 000007
【図７】
0006303893.tif 000008
【図８】
0006303893.tif 000009
【図９】
0006303893.tif 000010
【図１０】
0006303893.tif 000011
【図１１】
0006303893.tif 000012
【図１２】
0006303893.tif 000013
【図１３】
0006303893.tif 000014
【図１４】
0006303893.tif 000015
【図１５】
0006303893.tif 000016
【図１６】
0006303893.tif 000017
【図１７】
0006303893.tif 000018
【図１８】
0006303893.tif 000019